(57)【要約】【課題】  インレット部材の外周面とベルト進入口との間にゴミや雨水が入り込むことを防止し、及び、インレット部材の外周面とベルト進入口との間に子供が指等を入れるいたずらを防止する。【解決手段】  乗客コンベア用インレット安全装置において、循環移動する手摺ベルト５を内包し、スカート部６の正面側端部に形成されたベルト進入口７に挿入されて手摺ベルト５の移動方向に沿って移動可能に支持される筒状のインレット部材９と、インレット部材９の外周面とベルト進入口７の内周面との間に配置されるガイド部材１４とを備える。【選択図】    図４
2007091405.tif 000002
【特許請求の範囲】
【請求項１】
循環移動する手摺ベルトを内包し、スカート部の正面側端部に形成されたベルト進入口に挿入されて前記手摺ベルトの移動方向に沿って移動可能に支持される筒状のインレット部材と、
前記インレット部材の外周面と前記ベルト進入口の内周面との間に配置されるガイド部材と、
を備えることを特徴とする乗客コンベア用インレット安全装置。
【請求項２】
前記ガイド部材は、前記インレット部材の外周面と前記ベルト進入口の内周面との間の隙間を塞いでいることを特徴とする請求項１記載の乗客コンベア用インレット安全装置。
【請求項３】
前記ガイド部材は、前記インレット部材又は前記スカート部に対して目立つ色に彩色されていることを特徴とする請求項１又は２記載の乗客コンベア用インレット安全装置。
【請求項４】
請求項１ないし３のいずれか一記載の乗客コンベア用インレット安全装置を備えることを特徴とする乗客コンベア。
【発明の詳細な説明】
【技術分野】
【０００１】
本発明は、乗客コンベア用インレット安全装置及び乗客コンベアに関し、特に、乗客コンベアの循環移動する手摺ベルトがスカート部に形成されたベルト進入口に進入する部分において、指先や荷物などが手摺ベルトと共にベルト進入口に引き込まれることを防止する乗客コンベア用インレット安全装置及びこの乗客コンベア用インレット安全装置を備える乗客コンベアに関する。
【背景技術】
【０００２】
エスカレータや動く歩道等の乗客コンベアは、ステップと同期して循環移動する手摺ベルトを有し、この手摺ベルトは、乗客コンベアの一端側においてスカート部に形成されているベルト進入口からスカート部内に進入する。
【０００３】
手摺ベルトがベルト進入口に進入する部分には、指先や荷物などが手摺ベルトと共にベルト進入口に引き込まれることを防止するための安全装置が設けられている。このような安全装置としては、例えば、下記特許文献１に記載されたものが知られている。
【０００４】
下記特許文献１に記載された安全装置は、手摺ベルトを内包する筒状のインレット部材を有し、このインレット部材がスカート部の正面側端部に形成されたベルト進入口に挿入して支持されている。ベルト進入口に挿入して支持されたインレット部材は、手摺ベルトの移動方向に沿って移動可能に支持され、手摺ベルトの外周面とインレット部材の内周面との間の隙間に指や荷物が入り込んだ場合には、インレット部材が手摺ベルトの移動方向に沿って移動する。そして、インレット部材が手摺ベルトの移動方向に沿って移動することにより、移動したインレット部材により押されたインレット安全スイッチがオンとなり、インレット安全スイッチがオンとなることによって手摺ベルト及びステップの循環移動が停止される。
【特許文献１】特開２０００−２４７５６６号公報
【発明の開示】
【発明が解決しようとする課題】
【０００５】
しかしながら、前述の安全装置においては、以下の点について配慮がなされていない。
【０００６】
手摺ベルトを内包するインレット部材は、ベルト進入口に挿入されて手摺ベルトの移動方向に沿って移動可能に支持されており、インレット部材の移動を可能とするためにベルト進入口の内周面とインレット部材の外周面との間には隙間が設けられている。
【０００７】
このため、インレット部材の外周面とベルト進入口の内周面との間の隙間からゴミや雨水がスカート部内に入り込み易く、メンテナンスの手間がかかるようになる。また、インレット部材の外周面とベルト進入口の内周面との間の隙間に子供が指等を入れていたずらする場合があり、このいたずらが原因となってインレット部材が押されて移動し、安全装置が誤作動する場合がある。
【０００８】
本発明はこのような点に鑑みてなされたもので、その目的は、インレット部材の外周面とベルト進入口の内周面との間にゴミや雨水が入り込むことを防止し、及び、インレット部材の外周面とベルト進入口の内周面との間に子供が指等を入れるいたずらを防止することができる乗客コンベア用インレット安全装置及びこの乗客コンベア用インレット安全装置を備える乗客コンベアを提供することである。
【課題を解決するための手段】
【０００９】
本発明の実施の形態に係る第１の特徴は、乗客コンベア用インレット安全装置において、循環移動する手摺ベルトを内包し、スカート部の正面側端部に形成されたベルト進入口に挿入されて前記手摺ベルトの移動方向に沿って移動可能に支持される筒状のインレット部材と、前記インレット部材の外周面と前記ベルト進入口の内周面との間に配置されるガイド部材と、を備えることである。
【００１０】
本発明の実施の形態に係る第２の特徴は、乗客コンベアにおいて、第１の特徴に係る乗客コンベア用インレット安全装置を有することである。
【発明の効果】
【００１１】
本発明によれば、インレット部材の外周面とベルト進入口の内周面との間にガイド部材を配置することにより、インレット部材の外周面とベルト進入口との間にゴミや雨水が入り込むことを防止することができ、及び、インレット部材の外周面とベルト進入口との間に子供が指等を入れるいたずらを防止することができる。
【発明を実施するための最良の形態】
【００１２】
以下、本発明の実施の形態を図面を用いて説明する。
【００１３】
本発明の一実施の形態に係る乗客コンベア用インレット安全装置を備える乗客コンベアであるエスカレータ１は、図１に示すように、建物の下階と上階との間に亘って据え付けられたトラス２と、このトラス２内を無端状に循環移動する複数のステップ３と、これらのステップ３の両側に位置してトラス２上に立設された一対の欄干４とを備えている。欄干４の外周部には無端状の手摺ベルト５が取付けられ、この手摺ベルト５はステップ３と同期して循環移動する。
【００１４】
欄干４の下側部分には、トラス２と欄干４との連結部を覆うスカート部６が設けられている。このスカート部６の一方の正面側端部（例えば、下階側の正面側端部）には、循環移動する手摺ベルト５が進入するベルト進入口７が形成されている。スカート部６の他方の正面側端部（例えば、上階側の正面側端部）には、循環移動する手摺ベルト５が出てくるベルト出口８が形成されている。
【００１５】
なお、ステップ３と手摺ベルト５との循環移動方向は正逆切替可能であり、この正逆切替を行うことにより、手摺ベルト５の進入側と出口側とが逆転される。この実施の形態では、ステップ３及び手摺ベルト５が乗客を下階から上階へ運ぶ向きに循環移動し、下階側がベルト進入口７とされている場合を示している。
【００１６】
ベルト進入口７には、循環移動する手摺ベルト５を内包する筒状のインレット部材９が挿入して支持されている。ベルト進入口７に挿入されたインレット部材９は、手摺ベルト５の移動方向に沿って移動可能に支持されている。インレット部材９はゴムにより形成され、可撓性を有している。
【００１７】
インレット部材９は、図４に示すように、一端側がスカート部６内に位置し、他端がスカート部６の外側に位置している。スカート部６内に位置しているインレット部材９の一端側には作動板１０が固定され、作動板１０には凸部１１が設けられている。スカート部６内における凸部１１に対向する位置には、この凸部１１に押されることによりオンとなる安全スイッチ１２が設けられている。安全スイッチ１２は制御装置１３に接続され、この制御装置１３は、安全スイッチ１２やその他のセンサから入力される信号に基づいてエスカレータ１の各部の運転制御を行う。
【００１８】
インレット部材９の外周面とベルト進入口７の内周面との間には、ガイド部材１４が配置されている。ガイド部材１４は、フェルト、ブラシ等により形成され、インレット部材９の外周面とベルト進入口７との間の隙間を塞いでいる。また、このガイド部材１４は、インレット部材９の外周面とベルト進入口７の内周面とに接触し、それらの接触部分における滑り性の向上が図られている。さらに、ガイド部材１４は、インレット部材９又はスカート部６に対して目立つ色に彩色されている。目立つ色とは、一般的には、赤色、橙色、黄色であり、さらに、インレット部材９又はスカート部６の色を黒系統の色としてガイド部材１４を赤色、橙色、黄色とすることにより、ガイド部材１４はさらに目立つようになる。
【００１９】
なお、エスカレータ１の上階側にも、下階側と同様に、インレット部材９、安全スイッチ１２、制御装置１３、ガイド部材１４等が設けられている。上階側に設けられている安全スイッチ１２や制御装置１３等は、エスカレータ１の運転方向を正逆切替え、乗客を下向きに搬送する場合に機能する。
【００２０】
このような構成において、指先や荷物などが循環移動する手摺ベルト５と共にベルト進入口７に引き込まれた場合には、指先や荷物は手摺ベルト５とインレット部材９との間に入り込み、手摺ベルト５とインレット部材９との間の摩擦抵抗が増大する。これにより、インレット部材９が手摺ベルト５に引きづられてスカート部６内へ移動し、インレット部材９と一体に移動する凸部１１により安全スイッチ１２が押圧されてオンとなり、安全スイッチ１２からのオン信号が制御装置１３に入力される。安全スイッチ１２からのオン信号が制御装置１３に入力されると、制御装置１３は指先や荷物が手摺ベルト５と共にベルト進入口７に引き込まれる事故が発生したものと判断し、エスカレータ１の運転（ステップ３及び手摺ベルト５の循環移動）を停止させる。
【００２１】
インレット部材９の外周面とベルト進入口７の内周面との間にはガイド部材１４が配置されているので、インレット部材９の外周面とベルト進入口７の内周面との間の隙間がなくなる。このため、インレット部材9の外周面とベルト進入口7との間にゴミや雨水が入り込むことを防止することができ、及び、インレット部材9の外周面とベルト進入口７との間に子供が指等を入れるいたずらを防止することができる。
【００２２】
これにより、スカート部６内に入り込んだゴミや雨水等に対するメンテナンスの手間が軽減される。さらに、子供が指等を入れることが原因となってインレット部材９が移動することによる安全装置の誤作動を防止することができる。
【００２３】
また、ガイド部材１４によってインレット部材９の外周面とベルト進入口７との間の隙間が塞がれることにより、エスカレータ１をスカート部６の正面側から見た場合の外観を向上させることができる。
【００２４】
しかも、ガイド部材１４は、インレット部材９又はスカート部６に対して目立つ色に彩色されているので、エスカレータ１の乗客に対し、手摺ベルト５と共にベルト進入口７内に指や荷物が引き込まれることの注意を喚起することができる。
【００２５】
さらに、インレット部材9の外周面とベルト進入口７の内周面との間に配置されたガイド部材１４は、フェルト、ブラシ等により形成されてインレット部材９の外周面とベルト進入口７の内周面との接触部分の滑り性を向上させている。このため、手摺ベルト５とインレット部材９との間に指先や荷物が入り込んだ場合における安全スイッチ１２をオンにする方向へのインレット部材９の移動を速やかに行わせることができ、安全スイッチ１２を速やかにオンにしてエスカレータ１の運転停止処理を速やかに行わせることができる。
【００２６】
なお、本実施の形態では、本発明を乗客コンベアの一例としてのエスカレータに適用した場合を例に挙げて説明したが、本発明は他の乗客コンベア、例えば、動く歩道等にも適用することができる。
【図面の簡単な説明】
【００２７】
【図１】本発明の一実施の形態に係る乗客コンベア用インレット安全装置を用いたエスカレータの概略構造を示す側面図である。
【図２】図１における手摺ベルトがスカート部のベルト進入口に入り込む部分を示す正面図である。
【図３】図１における手摺ベルトとインレット部材とガイド部材とベルト進入口と示す縦断正面図である。
【図４】図１における手摺ベルトとインレット部材とガイド部材とベルト進入口とと安全スイッチとを示す縦断側面図である。
【符号の説明】
【００２８】
５      手摺ベルト
６      スカート部
７      ベルト進入口
９      インレット部材
１４      ガイド部材
【図１】
2007091405.tif 000003
【図２】
2007091405.tif 000004
【図３】
2007091405.tif 000005
【図４】
2007091405.tif 000006